(57)【特許請求の範囲】
【請求項１】
高速ダウンリンク・パケット・アクセス（ＨＳＤＰＡ）トラフィックを含むことができる通信を制御する方法であって、
第１の電力制限を許容電力制限未満に設定するステップと、
前記第１の電力制限未満である第２の電力制限を設定するステップと、
ＨＳＤＰＡトラフィックがあるか否かを決定するステップと、
ＨＳＤＰＡトラフィックがないときには非ＨＳＰＤＡトラフィックに対する前記第１の電力制限を選択し、そして、ＨＳＤＰＡトラフィックがあるときには非ＨＳＤＰＡトラフィックに対する前記第２の電力制限を選択するステップと、
を含む方法。
【請求項２】
現在の非ＨＳＤＰＡトラフィック電力を決定することにより、前記ＨＳＤＰＡトラフィックがあるか否かを判定するステップと、
現在の総電力を決定するステップと、
前記決定された現在の非ＨＳＤＰＡトラフィック電力と前記決定された現在の総電力とを任意のＨＳＤＰＡトラフィックの指標として使用するステップと、
を含む、請求項１に記載の方法。
【請求項３】
前記第１の電力制限が総電力の制限であり、そして、前記第２の電力制限が非ＨＳＤＰＡトラフィック電力の制限である、請求項１に記載の方法。
【請求項４】
少なくとも最小ＨＳＤＰＡ電力を任意のＨＳＤＰＡトラフィックに割り当てるステップと、
現在の非ＨＳＤＰＡ電力レベルが、前記最小ＨＳＤＰＡ電力を超える前記許容電力制限未満であるときには、前記最小ＨＳＤＰＡ電力を超える任意のＨＳＤＰＡトラフィックに割り当てるステップと、
を含む、請求項１に記載の方法。
【請求項５】
前記許容電力制限より大きい輻輳制御電力制限を設定するステップと、
現在の総電力レベルが前記輻輳制御電力制限を超えるときには、非ＨＳＤＰＡトラフィックを削減するステップと、
を含む、請求項１に記載の方法。
【請求項６】
前記第１または第２の電力制限の少なくとも１つを、任意の新規非ＨＳＤＰＡサービス要求を考慮するための閾値として使用するステップ
を含む、請求項１に記載の方法。
【請求項７】
現在の総電力が前記第１の電力制限より少ないときには常に、非ＨＳＤＰＡ利用者に対するサービス要求に応じるステップと、
現在の総電力が少なくとも前記第１の電力制限に等しく、且つ、現在の非ＨＳＤＰＡ電力が前記第２の電力制限より少ないときには常に、非ＨＳＤＰＡ利用者に対するサービス要求に応じるステップと、
現在の総電力が少なくとも前記第１の電力制限に等しく、且つ、現在の非ＨＳＤＰＡ電力が少なくとも前記第２の電力制限に等しいときには常に、非ＨＳＤＰＡ利用者に対するサービス要求を拒否するステップと、
のうち少なくとも１つを含む、請求項６に記載の方法。
【請求項８】
最大ＨＳＤＰＡ電力を前記許容電力制限未満に設定するステップを含む、請求項１に記載の方法。
【請求項９】
現在のＨＳＤＰＡ電力が前記最大ＨＳＤＰＡ電力と前記最小ＨＳＤＰＡ電力との間となるように、保証された最小ＨＳＤＰＡ電力より大きい前記最大ＨＳＤＰＡ電力に対する値を選択するステップと、
固定的ＨＳＤＰＡ電力量が任意のＨＳＤＰＡトラフィックに割り当てられるように、前記保証された最小ＨＳＤＰＡ電力より大きくない前記最大ＨＳＤＰＡ電力に対する値を選択するステップと、
のうち少なくとも１つを含む、請求項８に記載の方法。
【請求項１０】
複数の前記第１の電力制限を設定するステップを含み、前記第１の電力制限のそれぞれは少なくとも１つの非ＨＳＤＰＡデータ・レートに対応するものであり、さらに、
対応する複数の前記第２の電力制限を設定し、且つ、前記第２の電力制限の１つを前記第１の電力制限のそれぞれに関連付けるステップ、
を含む、請求項１に記載の方法。
【発明の詳細な説明】
【技術分野】
【０００１】
本発明は、一般に通信に関する。より詳細には、本発明は、無線通信に関する。
【背景技術】
【０００２】
無線通信システムは、さまざまな目的に使用されてきている。音声通信は、かなり以前から利用可能となっている。最近になり、無線データ通信が一般的になっている。このような通信の使用が増加するにつれて、プロバイダーは、加入者に対してデータ通信の可能性を増加させようと努力してきた。
【０００３】
高速ダウンリンク・パケット・アクセス（ＨＳＤＰＡ）は、リリース９９専用チャネル（ＤＣＨ）チャネルのような他の技術より利用者に対するダウンリンク・データの効率的な伝送を提供する１つの例示的機能である。例えば、ＨＳＤＰＡは、物理レイヤにおいて最大１４．４Ｍｂｉｔ／ｓの利用者データ・レートをサポートする。ＨＳＤＰＡは、パケット交換領域からのデータ伝送のみのために設計されている。
【０００４】
ＤＣＨ上の従来の伝送方法と比較したＨＳＤＰＡ用の無線資源管理に関する変更の１つは、無線ネットワーク制御装置（ＲＮＣ）から基地局（例えば、ＮｏｄｅＢ）にＨＳＤＰＡ資源管理に対するより多くの責任を移行することである。基地局中のＨＳＤＰＡ資源管理の主要な部分は、ＨＳＤＰＡスケジューラである。例示的スケジューラは、伝送時間間隔毎に走行し、これは、典型的には２ｍｓ毎に相当する。基地局におけるスケジューラは、基本的に２つの仕事を実行する。第１に、スケジューラは、次の伝送時間間隔内での伝送のために利用者および優先キューを選択する。通常、このような選択は、繰り返し処理されるランク付きリストの使用を含む。第２に、スケジューラは、選択された利用者に対して、トランスポート・ブロック長、ＨＳＤＰＡマルチコード数および変調フォーマット（例えば、ＱＰＳＫまたは１６ＱＡＭ）を含む、トランスポート・フォーマットおよび資源の組み合わせを割り当てる。付加的に、スケジューラは、ＨＳＤＰＡ物理チャネルの送信電力を決定する。
【０００５】
基地局におけるこのようなＨＳＤＰＡスケジューリング機能は、著しく改善された利用者が知覚するスループットおよび統合セルスループットを提供する。付加的に、本機能は、もっぱらＲＮＣにおける現在のＤＣＨ負荷制御より高い柔軟性を提供する。ＨＳＤＰＡに対する送信電力の割り当ての仕事は、基地局とＲＮＣ間で分担される。基地局のＨＳＤＰＡスケジューラは、ＨＳＤＰＡ利用者に対する送信電力割り当てを管理し、ＲＮＣにおける過負荷制御は、ＤＣＨ利用者（例えば、非ＨＳＤＰＡ利用者）に対する送信電力を管理する。基本的に、送信電力は、いくつかの制約に従って管理されなければならない。
【０００６】
共通チャネル、ＤＣＨ利用者およびＨＳＤＰＡ利用者に対する電力の合計である総送信電力は、長時間にわたって、総ダウンリンク送信電力制限を超過すべきではない。もし超過した場合、増幅器を保護するために制限されなければならない電力過負荷の危険が増大する。ＨＳＤＰＡに対して電力資源を割り当てる場合、ＤＣＨおよび共通チャネルに要求される送信電力は、優先度を与えられる。このことは、ＨＳＤＰＡ利用者が利用可能な資源およびその結果としてのＨＳＤＰＡスループットが、ＤＣＨ上に高トラフィックがある場合に削減されうることを意味する。
【０００７】
ＨＳＤＰＡ電力管理に対する２つの主要な技術として、固定的電力予約技術および動的電力割り当て技術がある。
【０００８】
基地局スケジューラは、固定的電力割り当て技術においてはＤＣＨおよび共通チャネルにより消費される電力資源を考慮に入れていない。したがって、少なくとも電力資源の固定的電力割り当ては、いくつかの原理によりＨＳＤＰＡ伝送に対して排他的に予約される。ＨＳＤＰＡスケジューラは、固定的電力割り当てに対応したパラメータにより許可された電力と同量の電力をＨＳＤＰＡ利用者に対して割り当てようと常に試みる。ＨＳＤＰＡトラフィックがない場合、ＤＣＨ利用者は、所定の制限内で全ての利用可能な増幅器電力を使用することができる。ＤＣＨ利用者の過負荷制御は、ＤＣＨ利用者の電力およびＨＳＤＰＡ利用者の電力を含む総送信電力に基づいている。基本原理は、総送信電力が、総送信電力を制御するために選択された閾値より少ない場合、受付制御が、新規ＤＣＨサービス要求を許可することである。閾値より少なくない場合、要求は拒否される。同一の機構が、現在セル内にアクティブなＨＳＤＰＡトラフィックが存在するか否かに拘わらず、ＤＣＨ利用者に適用される。
【０００９】
固定的電力割り当て技術についての１つの利点は、固定的送信電力量をＨＳＤＰＡ利用者に割り当て可能なことである。従って、ＨＳＤＰＡサービスは、ＤＣＨトラフィックと独立に設計することができる。１つの欠点は、ＤＣＨおよびＨＳＤＰＡトラフィックが存在する場合に、固定的ＨＳＤＰＡ電力が、システムの電力過負荷を避けるために相対的に制限されなければならないことである。
【００１０】
動的電力割り当て技術においては、ＨＳＤＰＡスケジューラは、常に、ＤＣＨおよび共通チャネルが未使用の全電力をＨＳＤＰＡ利用者に割り当てようとする。ＤＣＨ利用者の過負荷制御は、ＤＣＨ利用者および共通チャネルの電力のみに基づいている非ＨＳＤＰＡ送信電力に基づいている。受付制御は、非ＨＳＤＰＡ送信電力が選択された閾値より少ない場合に、新規ＤＣＨサービス要求を許可することになる。閾値より少なくない場合、要求は、拒否される。何らかのアクティブなＨＳＤＰＡトラフィックがセル内に存在するか否かに拘わらず、同一の機構が、ＤＣＨ利用者に適用される。
【００１１】
動的電力割り当て技術では、ＨＳＤＰＡ利用者に対する電力資源の固定的予約はもはや存在しない。代替として、ＤＣＨ過負荷制御用の閾値が、特にＤＣＨ高負荷シナリオにおいて、ＨＳＤＰＡ用送信電力資源を予約するために使用される。従って、閾値を設定することにより、少なくともある程度の送信電力をＨＳＤＰＡ利用者に利用可能とすることを保証することが可能である。本手法の１つの欠点は、ＤＣＨトラフィックが、最小限の資源量をＨＳＤＰＡ利用者に提供するために制限されなければならないことである。このことは、特定のセル中にアクティブなＨＳＤＰＡトラフィックがない場合、ＤＣＨ利用者による顕著な資源の利用率低下を招きうる。
【００１２】
動的電力割り当て技術についての別の欠点は、利用者の移動性あるいはＤＣＨサービスのトラフィック活動が原因で発生しうる、ＤＣＨ負荷の短期的不安定性が、設定された閾値を越えるＤＣＨ負荷のオーバーシュートを招く恐れがあることである。このシナリオは、基地局スケジューラが瞬時にＨＳＤＰＡトラフィックを削減するので、ＨＳＤＰＡ資源を一時的に減少させる。十分な時間が経過した後で、ＤＣＨ負荷が閾値を超過し続けている場合には、ＤＣＨトラフィックは、削減されうる。しかしながら、短期的には、ＨＳＤＰＡ資源は、通常所望されるものより少ない。
【００１３】
固定的電力予約技術または動的電力割り当て技術は、常に互いに排他的に使用されてきている。例えば、これらを動的態様で切り替えることが可能であることは知られていない。本手法は、特定のセル中のＨＳＤＰＡ活動に対する指標を必要とすることになろう。このような指標は、基地局内で実現されうるので、２つの技術間を切り替えるか否かを決定するために必要とされることになる、基地局からＲＮＣに送信されうる現在のＨＳＤＰＡ活動指標はない。付加的に、特別な遷移方法が、ＤＣＨ利用者のみがそれ以前にアクティブであったセル中で、ＨＳＤＰＡ利用者がアクティブとなる状況に対して必要とされることになる。
【発明の概要】
【発明が解決しようとする課題】
【００１４】
資源割り当ておよびＨＳＤＰＡトラフィック提供のために改善された方法を提供することが望まれることになる。
【課題を解決するための手段】
【００１５】
高速ダウンリンク・パケット・アクセス（ＨＳＤＰＡ）トラフィックを含むことができる通信を制御する例示的方法は、第１の電力制限を許容可能な電力制限未満に設定することを含む。第１の電力制限未満である第２の電力制限が設定される。何らかのＨＳＤＰＡトラフィックがあるか否かの決定がなされる。第１の電力制限は、ＨＳＤＰＡトラフィックがない場合に、非ＨＳＤＰＡトラフィックに対して選択される。第２の電力制限は、ＨＳＤＰＡトラフィックがある場合に、非ＨＳＤＰＡトラフィックに対して選択される。
【００１６】
ある例では、第１の電力制限は、総電力上の制限であり、第２の制限は、非ＨＳＤＰＡトラフィック電力上の制限である。
【００１７】
ある例は、少なくとも最小ＨＳＤＰＡ電力を任意のＨＳＤＰＡトラフィックに割り当てることを含む。ある例では、現在の非ＨＳＤＰＡ電力レベルが、最小ＨＳＤＰＡ電力を超えて許容可能な制限未満である場合に、最小ＨＳＤＰＡ電力を超えて、任意のＨＳＤＰＡトラフィックに割り当てられうる。
【００１８】
ある例では、最小ＨＳＤＰＡ電力は、第１の電力制限と許容可能な電力制限間の差より大きい。
【００１９】
ある例は、ＨＳＤＰＡトラフィックと非ＨＳＤＰＡトラフィック間の所望の相対的優先度を実現するために、第２の電力制限を設定することおよび最小ＨＳＤＰＡ電力を選択することを含む。ある例は、ＨＳＤＰＡトラフィックに対してより高い優先度を割り当てることを含む。
【００２０】
本発明のさまざまな特徴および利点は、以下の詳細な説明から当業者には明らかになろう。詳細な説明に添付された図面は、以下のように簡潔に説明することができる。
【図面の簡単な説明】
【００２１】
【図１】本発明の実施形態に有用である例示的通信システムの選択された部分を概略的に示す図である。
【図２】ある例示的電力資源割り当て技術を概略的に示す図である。
【図３】図３ａ乃至３ｃは、異なるトラフィック負荷シナリオを概略的に示す図である。
【発明を実施するための形態】
【００２２】
図１は、無線通信システム２０の選択された部分を概略的に示す。複数の移動局２２、２４および２６は、音声通信、データ通信または両者に有用である。基地局３０は、利用者から要求された所望のサービスを提供するために移動局２２から２６と通信する。基地局３０は、高速ダウンリンク・パケット・アクセス（ＨＳＤＰＡ）サービスを例示的移動局に対して提供する能力がある。
【００２３】
基地局３０は、ＨＳＤＰＡサービスに対する利用者をスケジューリングするために有用であるスケジューラ３２を含む。基地局３０はまた、無線ネットワーク制御装置（ＲＮＣ）３４と通信する。基地局スケジューラ３２およびＲＮＣ３４は、専用チャネル（ＤＣＨ）データトラフィックおよびＨＳＤＰＡトラフィックをスケジューリングすることを促進する態様で動作する。示されたＲＮＣ３４は、非ＨＳＤＰＡトラフィックのスケジューリングを取り扱う呼受付制御エンティティ３５を含む。
【００２４】
図２は、ＨＳＤＰＡサービスを提供するために有用である例示的送信電力制御戦略を概略的に示す。図２は、ある例におけるダウンリンク送信電力制限に対応した、複数の電力値のグラフ４０を含む。最大総電力制限は、４２に示される。これは、例えば、基地局３０からの最大総ダウンリンク送信電力に相当する。許容電力制限４４は、最大総電力未満に設定される。許容電力制限４４は、例えば、基地局３０の増幅器を保護するために、また、それ以外に該当セル内での所望の処理能力レベルを高めるために設定される。
【００２５】
第１の電力制限４６は、許容電力制限４４未満に設定される。第２の電力制限４８は、第１の電力制限４６未満に設定される。非ＨＳＤＰＡトラフィック（例えば、ＤＣＨトラフィック）は、ＨＳＤＰＡトラフィックがない場合、第１の電力制限４６まで電力資源を消費することができる。いくつかのアクティブなＨＳＤＰＡトラフィックがある場合には、非ＨＳＤＰＡトラフィック電力は、第２の、より低い電力制限４８を超えることはできない。ある例では、ＲＮＣ３４は、何らかのＨＳＤＰＡトラフィックがアクティブであるか否かを決定するために、現在のＤＣＨ電力および総電力を使用する。次いで、ＲＮＣ３４は、ＨＳＤＰＡトラフィックの不在または存在それぞれに応答して、第１の制限４６または第２の制限４８によってＤＣＨトラフィック量を制御する。
【００２６】
図２の例は、ＨＳＤＰＡトラフィックに対する最小限の電力資源量を割り当てることを含む。この最少量を５０に示す。図２の例はまた、ＨＳＤＰＡトラフィックに割り当てることができる利用可能な電力資源量上の最大制限を設定することを含む。この最大量を概略的に５２に示す。図２の例はまた、許容電力制限４４より高い輻輳制御制限５４を含む。許容電力制限４４を超える輻輳制御制限５４を持たせる１つの理由は、最小ＨＳＤＰＡ電力割り当て５０が許容電力制限４４と第１の電力制限４６間の差より大きいことである。したがって、ＤＣＨトラフィックが第１の制限４６またはそれに近い総電力を有し、かつ新規ＨＳＤＰＡトラフィックを発生させることが可能であり、その結果、総電力（例えば、既存のＤＣＨ電力プラス新規の最少割り当てＨＳＤＰＡ電力）が、許容電力制限４４を超過することになる。輻輳制御制限５４は、このような状況下で許容可能な範囲内に総電力を引き下げることを可能とする。
【００２７】
図２の例では、スケジューラ３２は、許容電力制限４４を考慮することなく全ての最小ＨＳＤＰＡ電力５０を使用することができる。したがって、スケジューラ３２は、短期間、許容電力制限４４によって許容されるものより多い総送信電力が使用されるような方法でＨＳＤＰＡ電力を割り当てることができる。このような状況下では、システム内に短期間の電力過負荷が存在しうる。ある例では、利用可能な送信電力量が、最小ＨＳＤＰＡ電力５０以上の場合、スケジューラは、制限５２まで全ての残存電力を割り当てることになる。
【００２８】
輻輳制御制限５４は、総送信電力が閾値５４を超える場合に電力過負荷状態からの復旧を保証する。このような状況下では、ＤＣＨ利用者に提供されるトラフィックは、総送信電力を削減するために削減され、その結果、総送信電力は、閾値５４未満となる。ある例では、輻輳制御技術は、選択された数のＤＣＨ上のパケット交換（ＰＳ）利用者のデータ・レートを削減することを含む。別の例は、例えば、別の周波数またはＧＳＭへのいくつかのＤＣＨ呼のハンドオーバを開始することを含む。輻輳制御は、総送信電力が許容電力制限４４を短期間超える場合に始動される物理レイヤ機能と連動することができる。このような機能は、利用者の送信電力を削減することおよび短期的な伝送品質を削減することにより基地局３０の電力増幅器を過負荷から保護するために有用である。したがって、輻輳制御閾値５４は、長期的品質低下を避けるために長期的過負荷操作を実現する。
【００２９】
図２に示されるさまざまな電力制限は、受付制御が許容電力制限４４内に総電力レベルを維持すると共に少なくともいくつかのＨＳＤＰＡサービスを提供するために有用である。第１の制限４６または第２の制限４８の少なくとも１つは、ＤＣＨ上のサービス要求を許可するかまたは拒否するかを決定するための受付制御の間有用である。
【００３０】
総送信電力が、第１の電力制限４６以下である場合、ＤＣＨ上の利用者に対するサービス要求は、非ＨＳＤＰＡ送信電力の状態に拘わらず許可することができる。このような状況下では、アクティブなＨＳＤＰＡトラフィックがない、またはスケジューラ３２は、全ての利用可能な電力をＨＳＤＰＡトラフィックに割り当てていない（例えば、低量のＨＳＤＰＡトラフィックでありうる）。この状況下では、総送信電力が許容電力制限４４を超えることになるリスクが低い形で新規のＤＣＨ利用者が十分な電力を利用可能である。
【００３１】
図３Ａは、１つのこのような例示的シナリオを示す。利用可能な電力資源の一部は、６０に示されるように共通チャネルにより消費される。非ＨＳＤＰＡ利用者（例えば、Ｒ９９  ＤＣＨ利用者）は、６２に示される利用可能な電力資源の別の部分を消費する。図３Ａ中の総送信電力は６４に示される。この総量は、第１の電力制限４６未満であるので、総電力６４が、許容電力制限４４を超えるリスクが低い形で新規ＤＣＨ利用者を追加することが可能である。
【００３２】
例えば、図３Ａでは、総送信電力６４と非ＨＳＤＰＡトラフィック電力間に差がない（例えば、６０および６２における消費量が総量６４に等しい）ので、アクティブなＨＳＤＰＡトラフィックはない。
【００３３】
図３Ｂは、図３Ａからのシナリオ中の変化を示す。図３Ｂでは、ＨＳＤＰＡトラフィックが開始されていて、かつ少なくとも、最小ＨＳＤＰＡ電力割当が、６６に示される利用可能な電力資源の消費を生じる。この例では、総送信電力６８は、総非ＨＳＤＰＡ電力（例えば、６４に示される電力レベル）が既に比較的高く、許容電力制限４４に近かったので、許容電力制限４４より上にある。６４に示される非ＨＳＤＰＡトラフィック電力より高い総送信電力６８は、ＨＳＤＰＡトラフィックの存在を示す。
【００３４】
図３Ｂでは、システムは、ダウンリンク電力過負荷にあり、総送信電力は、削減されなければならない。この例では、総電力６８はまた、輻輳制御閾値５４より上にあり、ＲＮＣ３４により実装された輻輳制御は、ＤＣＨトラフィックを削減する。例えば、少なくともいくつかの選択されたＤＣＨ利用者のデータ・レートは、６２に示される電力消費量を削減するために図３Ｃに示される量６２’に削減されうる。
【００３５】
図３Ｃは、図３ＢのＨＳＤＰＡトラフィックの発生時と比べた一定時間後の総電力の是正を示す。６２’のＤＣＨ電力消費量が達成されると、総非ＨＳＤＰＡ電力は、７０に示されるレベルとなる。図３Ｃの例では、レベル７０の総非ＨＳＤＰＡ電力は、第２の電力制限４８未満に維持される。ＨＳＤＰＡトラフィックが存在する時は常に、第２の電力制限４８は、それ以下に総非ＨＳＤＰＡ電力が維持されるべき閾値として選択される。したがって、受付制御は、非ＨＳＤＰＡ送信電力を平均して第２の電力制限４８未満に保つことになる。適切に第２の電力制限４８を設定することにより、最小ＨＳＤＰＡ電力量５０は、ＨＳＤＰＡ利用者に対して大部分が利用可能であり、総電力７０が許容電力制限４４を超える確率は低い。図３Ｃの例中の総送信電力７２は、許容電力制限４４に一致する。
【００３６】
例示的負荷制御技術の機能のいくつかは、スケジューラ３２により実装される。例えば、スケジューラ３２は許容電力制限４４を設定し、これにより総電力が一時的かつ低頻度でのみ超過するようになる。スケジューラ３２は、通常、この制限によってＨＳＤＰＡ電力を割り当てる。許容電力制限４４は、基地局３０の増幅器を保護するために最大電力４２未満に保たれる。言い換えれば、示された例の許容電力制限４４は、最大電力４２に達する可能性がある、短期的最大電力未満に長期的増幅器電力を設定する。
【００３７】
ある例におけるスケジューラ３２は、ＨＳＤＰＡトラフィックがある場合にいつもＨＳＤＰＡ利用者が割り当てられる最小ＨＳＤＰＡ電力５０を設定する。最小ＨＳＤＰＡ電力５０は、一定量の送信電力が共通チャネルに、またある程度専用チャネルに与えられなければならないので、許容電力制限４４未満に設定される。
【００３８】
ある例では、最小ＨＳＤＰＡ電力割り当て５０は、ゼロに設定される。このような例では、スケジューラ３２は、本質的には、純粋な動的割り当て技術に従って機能する。
【００３９】
ある例では、ＲＮＣ３４によってＮＢＡＰ信号方式を通じて基地局３０に提供される、最大ＨＳＤＰＡ電力割り当て５２は、スケジューラ３２がＨＳＤＰＡ利用者に割り当てることになる最大電力資源量上の制限を提供する。この閾値は、スケジューラ３２の動作上の所望の効果を達成するためにさまざまな方法で設定することができる。例えば、最大ＨＳＤＰＡ電力５２が、許容電力制限４４より上に設定される場合、最大ＨＳＤＰＡ電力パラメータは、システムの動作上効果を持たない。他の動作パラメータは、常に最大可能電力４２未満になるようにＨＳＤＰＡ電力使用を制限する。
【００４０】
最大ＨＳＤＰＡ電力５２が、最小ＨＳＤＰＡ電力５０より大きくなるように設定される場合、スケジューラ３２は、ＨＳＤＰＡ電力を２つの閾値５０と５２の間に割り当てることになる。このような最大ＨＳＤＰＡ電力５２の設定は、運用者がＨＳＤＰＡ電力利用率を境界５０および５２内に制限することを可能とする。
【００４１】
最大ＨＳＤＰＡ電力５２が、最小ＨＳＤＰＡ電力５０以下に設定される場合、最大ＨＳＤＰＡ電力５２は、全ての他の設定に優先する。この状況下では、スケジューラ３２は、固定割り当て技術を使用して、最大電力５２が固定量であるかのように電力を割り当てることになる。
【００４２】
示された例では、許容電力制限４４および最小ＨＳＤＰＡ電力割り当て５０は、基地局固有のパラメータである。最大電力制限４２および最大ＨＳＤＰＡ電力割り当て５２は、ＲＮＣ３４からＮＢＡＰ信号方式を介して基地局３０に提供される。
【００４３】
ＲＮＣ３４の負荷制御閾値は、ＲＮＣ３４内で設定可能であり、かつ関連した測定事象を生成するため、および測定事象の発生に応答して対応した処置を起動するために使用することになるパラメータである。ある例では、ＲＮＣ負荷制御閾値パラメータは、許容電力制限４４以上のレベルにある輻輳制御閾値５４を有することを含む。このことは、スケジューラ３２が総電力を許容電力制限４４内に維持することができない場合に、輻輳制御がＤＣＨトラフィックのみを削減することを保証する。さらに、輻輳制御制限５４をこの方法で設定することは、輻輳制御が短期的オーバーシュート毎ではなく、より長期的電力過負荷のみで始動されるようなヒステリシスを可能とする。一方、輻輳制御制限５４は、輻輳制御が総電力を許容電力制限４４未満に削減する可能性が高くなるように、許容電力制限４４の比較的近くに設定される。
【００４４】
第１の電力制限４６は、許容制限４４未満に設定される。第１の電力制限４６のこの特有な設定は、ＨＳＤＰＡが特定のセル内でアクティブであるという指標を提供し、ＨＳＤＰＡスケジューラ３２は、許容電力制限４４までの全ての残余電力を割り当てることが可能である。さらに、第１の電力制限４６は、セル内でアクティブなＨＳＤＰＡ利用者がいない場合の平均ＤＣＨ電力利用率の制限を決定する。
【００４５】
第２の電力制限４８は、第１の電力制限４６以下に設定される。特に、第２の電力制限４８は、ＨＳＤＰＡ利用者がセル内でアクティブである場合の平均ＤＣＨ電力利用率の制限を決定する。
【００４６】
第２の電力制限４８および最小ＨＳＤＰＡ電力割り当て５０を選択することは、電力資源割り当てのための相対的優先度を割り当てることを可能とする。例えば、第２の電力制限４８が、許容電力制限４４と最小ＨＳＤＰＡ電力割り当て５０間の差以下に保たれている場合、ＨＳＤＰＡ利用者に対する送信電力量を決定することができる。第２の電力制限４８を低く設定することは、ＨＳＤＰＡトラフィックに対してより多くの電力が予約される一方、ＤＣＨトラフィックに対して利用可能な電力がより少なくなる。第２の電力制限４８を比較的高く設定することは、より多くの電力をＤＣＨトラフィックに対して許容することになる。
【００４７】
第２の電力制限４８が、許容電力制限４４と最小ＨＳＤＰＡ電力割り当て５０間の差より高く設定される場合、これは、許容電力制限を上回る確率が増加するような、より積極的な呼受付制御方式を提供する。このことは、新規ＨＳＤＰＡサービスを受け付けた後にＤＣＨトラフィックを削減するために輻輳制御をより頻繁に始動することを意味する。
【００４８】
第２の電力制限４８が、第１の電力制限４６と同一に設定される場合、結果として生じる電力制御手法は、固定的電力割り当て技術と関連した負荷制御をエミュレートする。
【００４９】
ある例では、第１および第２の電力制限４６および４８に対する異なる値が、異なるＤＣＨデータ・レートのために使用される。ある例では、複数のＤＣＨデータ・レートのための複数の第１および第２の電力制限がある。ある例は、各ＤＣＨデータ・レートに対して異なる第１および第２の電力制限を含む。別の例は、単一の第１および第２の電力制限セットを互いに比較的に接近している、または相互の選択された範囲内にある複数のＤＣＨデータ・レートと関連付ける。
【００５０】
複数の第１および第２の電力制限を含むある例は、第１および第２の電力制限のセット数を削減するために少なくとも１つの他の技術を含む。あるこのような技術は、第１の電力制限４６および対応する第２の電力制限４８を、差が大きくない複数の比較的低いデータ・レートと関連付けることを含む。例えば、６４ｋｂｐｓ、３２ｋｂｐｓおよびより低いデータ・レートに対して同一の閾値を適用することは妥当でありうる。
【００５１】
別の技術は、特に、最小ＨＳＤＰＡ電力５０を異なるデータ・レートの要求と合わせて設定することを含む。この技術は、高レートＤＣＨサービスに対する受付基準を提供するために第２の電力制限４８を再使用することを可能とする。例えば、上記基準は、総送信電力が第１の電力制限４６より少なく、かつ非ＨＳＤＰＡ電力が第２の電力制限４８より少ない場合に、高データ・レートＤＣＨサービス（例えば、３８４ｋｂｐｓ）を許可するように強化することができる。この場合、ＨＳＤＰＡトラフィックは、アクティブでないか、ＨＳＤＰＡスケジューラは、全ての利用可能な電力をＨＳＤＰＡトラフィックに割り当てることができない（例えば、ＨＳＤＰＡトラフィック量が少ない）。その場合、高データ・レート（例えば、３８４ｋｂｐｓ）ＤＣＨ利用者に対しても十分に利用可能な資源がある。ある例は、高ＤＣＨデータ・レートの使用をＨＳＤＰＡアクティビティがないセルに対して制限することを含む。例えば、ＨＳＤＰＡがアクティブである場合に、運用者が、ＤＣＨ上で３８４ｋｂｐｓの新規呼を許可したくない可能性がある。この場合、このサービスに対する特別なＨＳＤＰＡ閾値は必要ではない。ある例では、高データ・レートＤＣＨサービスが、ＨＳＤＰＡなしにアクティブである場合、このサービスは、ＨＳＤＰＡトラフィックが上記および図３ｂおよび３ｃに概略が示されるようにアクティブとなる場合により低いデータ・レートに降格されることになろう。
【００５２】
開示された例は、いくつかの利点を有する。ＨＳＤＰＡトラフィックに対して、ＤＣＨトラフィックより高い優先度を持たせることが可能である。いくつかの例では、ＤＣＨ利用者は、ＨＳＤＰＡ利用者に対して最小ＨＳＤＰＡ電力割当を保証するためにデータ・レートを格下げされることになろう。ＨＳＤＰＡトラフィックは、ＤＣＨの残余である全ての未使用資源を任意の最大ＨＳＤＰＡ電力割り当て制限まで消費することができる。このことは、最小ＨＳＤＰＡ電力割り当てにより与えられる資源より多くが利用可能である場合に固定的割り当て技術と比較してスループットを改善することになる。ＨＳＤＰＡトラフィックがない場合には、ＤＣＨトラフィックは、第１の電力制限にまで達することができ、このことは、ＨＳＤＰＡトラフィックがある場合に必要とされる第２の電力制限に近い閾値を使用するよりも良い使用率をこのシナリオでは可能とする。このことは、ＨＳＤＰＡトラフィックがあったか否かに拘わらず１つの比較的に低い閾値のみを使用する動的割り当て技術と異なる。
【００５３】
第２の電力制限および最小ＨＳＤＰＡ電力割り当てを効果的に設定することは、運用者がＤＣＨ利用者とＨＳＤＰＡ利用者間の送信電力割り当ての相対的優先度を調整することを可能とする。開示された例は、常時ＤＣＨをＨＳＤＰＡより優先度を高くする、３ＧＰＰ標準により与えられた純粋な割り当て方法より柔軟である。特に、運用者は、いくつかのＨＳＤＰＡの優先度を送信電力割り当てにおいてＤＣＨより高くすることがここで可能となる。
【００５４】
このことが所望される場合、開示された例示的パラメータは、純粋な固定的または純粋な動的電力割り当て技術をエミュレートする動作を達成するように調整することができる。しかしながら、セルのＨＳＤＰＡアクティビティに関する別個の指標を必要としない。アクティブなＨＳＤＰＡトラフィックが存在するか否かに関する判断は、ある例では総電力測定値と非ＨＳＤＰＡ電力測定値を比較することによりもたらされる。
【００５５】
前記説明は、本質的に制限するものではなく例示的なものである。開示された例の変形および修正は、本発明の本質を逸脱する必要がないことが当業者には明らかになろう。本発明に与えられる法的保護の範囲は、以下の特許請求の範囲を検討することによってのみ決定することができる。
【図１】
0005410296.tif 000002
【図２】
0005410296.tif 000003
【図３】
0005410296.tif 000004